(57)【特許請求の範囲】
【請求項１】
太陽光を受けて集められた熱を蓄える太陽熱蓄熱装置と、
前記太陽熱蓄熱装置から供給される熱、及び水分を吸脱着可能な吸着材を用いて、建物の内部へと供給される空気の湿度の調整を行う調湿装置と、
前記調湿装置に、前記建物の内部の湿度が目標範囲以内の値になるように調整する調湿運転を行わせる制御装置と、
を具備する調湿システムであって、
前記制御装置は、
前記太陽熱蓄熱装置に蓄えられる熱量を予測し、予測された前記熱量に基づいて前記調湿装置の運転を制御し、
前記太陽熱蓄熱装置に蓄えられる熱量が事前運転基準値以上になると予測され、かつ現在時刻から前記太陽熱蓄熱装置が太陽光を受けることが可能になると予測される時刻までの時間が基準時間以下になった場合、前記調湿装置に前記調湿運転を行わせる、
調湿システム。
【請求項２】
前記制御装置は、
前記太陽熱蓄熱装置に蓄えられる熱量が熱量増加基準値以上になると予測された場合、前記太陽熱蓄熱装置に蓄えられる熱量が熱量増加基準値未満になると予測された場合に比べて前記調湿運転において使用される熱が多くなるように前記調湿装置の運転を制御する、
請求項１に記載の調湿システム。
【請求項３】
前記制御装置は、
前記太陽熱蓄熱装置に蓄えられる熱量が熱量減少基準値以下になると予測された場合、前記太陽熱蓄熱装置に蓄えられる熱量が熱量減少基準値より大きくなると予測された場合に比べて前記調湿運転において使用される熱が少なくなるように前記調湿装置の運転を制御する、
請求項１又は請求項２に記載の調湿システム。
【請求項４】
前記制御装置は、
前記建物の内部に人がいる場合にのみ、前記調湿装置に前記調湿運転を行わせる、
請求項１から請求項３までのいずれか一項に記載の調湿システム。
【請求項５】
前記制御装置は、
前記太陽熱蓄熱装置に蓄えられる熱量が予測再生基準値以上になると予測され、かつ前記建物の内部の湿度が前記目標範囲以内の値である場合、前記太陽熱蓄熱装置から供給される熱を用いて前記調湿装置に前記吸着材の再生を行わせる、
請求項１から請求項４までのいずれか一項に記載の調湿システム。
【請求項６】
太陽光を受けて集められた熱を蓄える太陽熱蓄熱装置と、
前記太陽熱蓄熱装置から供給される熱、及び水分を吸脱着可能な吸着材を用いて、建物の内部へと供給される空気の湿度の調整を行う調湿装置と、
前記調湿装置に、前記建物の内部の湿度が目標範囲以内の値になるように調整する調湿運転を行わせる制御装置と、
を具備する調湿システムであって、
前記制御装置は、
前記太陽熱蓄熱装置に蓄えられる熱量を予測し、予測された前記熱量に基づいて前記調湿装置の運転を制御し、
前記太陽熱蓄熱装置に蓄えられる熱量が予測再生基準値以上になると予測され、かつ前記建物の内部の湿度が前記目標範囲以内の値である場合、前記太陽熱蓄熱装置から供給される熱を用いて前記調湿装置に前記吸着材の再生を行わせる、
調湿システム。
【請求項７】
太陽光を受けて集められた熱を蓄える太陽熱蓄熱装置と、
前記太陽熱蓄熱装置から供給される熱、及び水分を吸脱着可能な吸着材を用いて、建物の内部へと供給される空気の湿度の調整を行う調湿装置と、
前記調湿装置に、前記建物の内部の湿度が目標範囲以内の値になるように調整する調湿運転を行わせる制御装置と、
を具備する調湿システムであって、
前記制御装置は、
前記太陽熱蓄熱装置に蓄えられる熱量を予測し、予測された前記熱量に基づいて前記調湿装置の運転を制御し、
前記太陽熱蓄熱装置に蓄えられている熱量が実再生基準値以上であり、かつ前記建物の内部の湿度が前記目標範囲以内の値である場合、前記太陽熱蓄熱装置から供給される熱を用いて前記調湿装置に前記吸着材の再生を行わせる、
調湿システム。
【発明の詳細な説明】
【技術分野】
【０００１】
本発明は、空気の湿度の調整を行う調湿システムの技術に関する。
【背景技術】
【０００２】
従来、空気の湿度の調整を行う調湿システムの技術は公知となっている。例えば、特許文献１に記載の如くである。
【０００３】
特許文献１に記載の調湿システム（空調装置）は、太陽光を集めて空気を加熱する太陽熱蓄熱装置（太陽光集熱器）と、太陽熱蓄熱装置から供給される空気を利用して湿度の調整（調湿）を行う調湿装置（デシカントロータ）と、を具備する。このように構成された調湿システムにおいては、太陽熱蓄熱装置からの温かい空気を用いて、調湿装置が再生される。
【０００４】
また、当該調湿システムでは、太陽熱蓄熱装置から供給されてくる空気の温度を温度センサによって検出している。当該空気の温度に応じて太陽熱蓄熱装置から調湿装置へと供給される空気の量（送風量）を調整することで、調湿装置へと供給される空気の温度の変動を抑制することができる。
【０００５】
しかしながら、特許文献１に記載の技術では、調湿システム全体（すなわち、太陽熱蓄熱装置及び調湿装置）の効率的な活用が考慮されていない。このため、調湿システム全体の効率化の余地がある。
【先行技術文献】
【特許文献】
【０００６】
【特許文献１】特開２０１０−９６４５７号公報
【発明の概要】
【発明が解決しようとする課題】
【０００７】
本発明は以上の如き状況に鑑みてなされたものであり、その解決しようとする課題は、効率の向上を図ることが可能な調湿システムを提供することである。
【課題を解決するための手段】
【０００８】
本発明の解決しようとする課題は以上の如くであり、次にこの課題を解決するための手段を説明する。
【０００９】
即ち、請求項１においては、太陽光を受けて集められた熱を蓄える太陽熱蓄熱装置と、前記太陽熱蓄熱装置から供給される熱、及び水分を吸脱着可能な吸着材を用いて、建物の内部へと供給される空気の湿度の調整を行う調湿装置と、前記調湿装置に、前記建物の内部の湿度が目標範囲以内の値になるように調整する調湿運転を行わせる制御装置と、を具備する調湿システムであって、前記制御装置は、前記太陽熱蓄熱装置に蓄えられる熱量を予測し、予測された前記熱量に基づいて前記調湿装置の運転を制御し、前記太陽熱蓄熱装置に蓄えられる熱量が事前運転基準値以上になると予測され、かつ現在時刻から前記太陽熱蓄熱装置が太陽光を受けることが可能になると予測される時刻までの時間が基準時間以下になった場合、前記調湿装置に前記調湿運転を行わせるものである。
【００１０】
請求項２においては、前記制御装置は、前記太陽熱蓄熱装置に蓄えられる熱量が熱量増加基準値以上になると予測された場合、前記太陽熱蓄熱装置に蓄えられる熱量が熱量増加基準値未満になると予測された場合に比べて前記調湿運転において使用される熱が多くなるように前記調湿装置の運転を制御するものである。
【００１１】
請求項３においては、前記制御装置は、前記太陽熱蓄熱装置に蓄えられる熱量が熱量減少基準値以下になると予測された場合、前記太陽熱蓄熱装置に蓄えられる熱量が熱量減少基準値より大きくなると予測された場合に比べて前記調湿運転において使用される熱が少なくなるように前記調湿装置の運転を制御するものである。
【００１２】
請求項４においては、前記制御装置は、前記建物の内部に人がいる場合にのみ、前記調湿装置に前記調湿運転を行わせるものである。
【００１３】
請求項５においては、前記制御装置は、前記太陽熱蓄熱装置に蓄えられる熱量が予測再生基準値以上になると予測され、かつ前記建物の内部の湿度が前記目標範囲以内の値である場合、前記太陽熱蓄熱装置から供給される熱を用いて前記調湿装置に前記吸着材の再生を行わせるものである。
【００１４】
請求項６においては、太陽光を受けて集められた熱を蓄える太陽熱蓄熱装置と、前記太陽熱蓄熱装置から供給される熱、及び水分を吸脱着可能な吸着材を用いて、建物の内部へと供給される空気の湿度の調整を行う調湿装置と、前記調湿装置に、前記建物の内部の湿度が目標範囲以内の値になるように調整する調湿運転を行わせる制御装置と、を具備する調湿システムであって、前記制御装置は、前記太陽熱蓄熱装置に蓄えられる熱量を予測し、予測された前記熱量に基づいて前記調湿装置の運転を制御し、前記太陽熱蓄熱装置に蓄えられる熱量が予測再生基準値以上になると予測され、かつ前記建物の内部の湿度が前記目標範囲以内の値である場合、前記太陽熱蓄熱装置から供給される熱を用いて前記調湿装置に前記吸着材の再生を行わせるものである。
【００１５】
請求項７においては、太陽光を受けて集められた熱を蓄える太陽熱蓄熱装置と、前記太陽熱蓄熱装置から供給される熱、及び水分を吸脱着可能な吸着材を用いて、建物の内部へと供給される空気の湿度の調整を行う調湿装置と、前記調湿装置に、前記建物の内部の湿度が目標範囲以内の値になるように調整する調湿運転を行わせる制御装置と、を具備する調湿システムであって、前記制御装置は、前記太陽熱蓄熱装置に蓄えられる熱量を予測し、予測された前記熱量に基づいて前記調湿装置の運転を制御し、前記太陽熱蓄熱装置に蓄えられている熱量が実再生基準値以上であり、かつ前記建物の内部の湿度が前記目標範囲以内の値である場合、前記太陽熱蓄熱装置から供給される熱を用いて前記調湿装置に前記吸着材の再生を行わせるものである。
【発明の効果】
【００１６】
本発明の効果として、以下に示すような効果を奏する。
【００１７】
請求項１においては、集熱効率及び熱利用効率の向上を図ることができる。
【００１８】
請求項２においては、集熱効率及び熱利用効率の向上を図ることができる。
【００１９】
請求項３においては、太陽熱蓄熱装置に蓄えられる熱量が過剰に減少するのを防止することができる。
【００２０】
請求項４においては、適切な場合に湿度の調整を行うことができる。
【００２１】
請求項５においては、集熱効率及び熱利用効率の向上を図ることができる。
【００２２】
請求項６においては、集熱効率及び熱利用効率の向上を図ることができる。
【００２３】
請求項７においては、集熱効率及び熱利用効率の向上を図ることができる。
【図面の簡単な説明】
【００２４】
【図１】本発明の一実施形態に係る調湿システムの全体的な構成を示した模式図。
【図２】同じく、調湿システムの制御に関する構成を示したブロック図。
【図３】調湿システムを用いて除湿する際の様子を示した模式図。
【図４】同じく、加湿する際の様子を示した模式図。
【図５】同じく、デシカントロータの再生のみを行う様子を示した模式図。
【図６】運転モード選択制御の処理を示したフローチャート。
【図７】実行制御の処理を示したフローチャート。
【発明を実施するための形態】
【００２５】
まず、図１及び図２を用いて、本発明の一実施形態に係る調湿システム１について説明する。
【００２６】
調湿システム１は、太陽光を受けて集められた熱（太陽熱）を利用して、空気の湿度の調整（調湿）を行うものである。調湿システム１は建物に設けられ、当該建物の内部の調湿を行う。ここで「建物」とは、例えば住宅や種々の施設等、人が滞在可能な室内空間を有するものを意味する。本実施形態においては、建物の一例として、人が居住する住宅を用いて説明を行う。調湿システム１は、主として太陽熱温水装置１０、調湿装置２０及び制御装置３０を具備する。
【００２７】
太陽熱温水装置１０は、太陽光を受けて集められた熱（太陽熱）を蓄えるものである。太陽熱温水装置１０は、主として集熱パネル１１、太陽熱蓄熱タンク１２及び集熱循環管路１３を具備する。
【００２８】
集熱パネル１１は、太陽光を受けて太陽熱を集める（集熱する）ものである。集熱パネル１１は、広い面で太陽光を受けることができるように、平板状に形成される。集熱パネル１１には、当該集熱パネル１１の前面に亘るように配置された図示せぬ配管が設けられる。集熱パネル１１は、日当たりの良い場所（例えば、前記住宅の屋根の上等）に設置される。
【００２９】
太陽熱蓄熱タンク１２は、集熱パネル１１で集熱された熱を蓄えるものである。太陽熱蓄熱タンク１２は、内部に流体（液体）を貯溜することが可能な空間を有する箱状に形成される。太陽熱蓄熱タンク１２は、集熱パネル１１からの太陽熱によって温められた熱媒体（本実施形態においては、不凍液）を蓄えることによって、当該太陽熱を蓄えることができる。
【００３０】
また、太陽熱蓄熱タンク１２は、図示せぬ配管を介して外部の給湯需要（例えば、住宅の浴室等）に接続される。太陽熱蓄熱タンク１２は、当該給湯需要からの要求に応じて、当該給湯需要へと熱媒体を供給することで、ひいては太陽熱蓄熱タンク１２に蓄えられた熱を給湯需要へと供給することができる。
【００３１】
集熱循環管路１３は、集熱パネル１１と太陽熱蓄熱タンク１２との間で熱媒体を循環させるためのものである。集熱循環管路１３は、集熱パネル１１（より詳細には、集熱パネル１１に設けられた配管）と太陽熱蓄熱タンク１２とを接続する２本の配管を具備する。また集熱循環管路１３の中途部には、ポンプ１３ａが設けられる。
【００３２】
ポンプ１３ａは、集熱循環管路１３を介して熱媒体を圧送するためのものである。ポンプ１３ａを駆動させることにより、太陽熱蓄熱タンク１２内の熱媒体を集熱パネル１１へと圧送すると共に、集熱パネル１１内の熱媒体を太陽熱蓄熱タンク１２へと圧送することができる。
【００３３】
調湿装置２０は、空気の湿度の調整（調湿）を行うものである。調湿装置２０は、主として供給流路２１、排出流路２２、デシカントロータ２３、供給側加温器２４、排出側加温器２５、供給側送風機２６及び排出側送風機２７を具備する。
【００３４】
供給流路２１は、屋外から屋内（前記住宅内）へと空気を案内するための通路である。供給流路２１は、図示せぬ複数の壁面等によって形成される。
【００３５】
排出流路２２は、屋内から屋外へと空気を案内するための通路である。排出流路２２は、図示せぬ複数の壁面等によって形成される。排出流路２２は、供給流路２１と隣接するように配置される。排出流路２２の方向（当該排出流路２２を流通する空気の流通方向）は、供給流路２１の方向（当該供給流路２１を流通する空気の流通方向）と平行になるように配置される。排出流路２２と供給流路２１との間には隔壁２２ａが設けられる。当該隔壁２２ａによって、供給流路２１と排出流路２２とが区画される。
【００３６】
デシカントロータ２３は、デシカント（吸着材）が略円柱状（円板状）に形成されたものである。ここで、デシカント（吸着材）は、空気中の水分を吸着することで、当該空気を除湿することができる。また、水分を吸着することでデシカントの吸着性能（除湿性能）が低下した場合、当該デシカントを加熱することで、吸着された水分を放出（脱着）させることができ、ひいては除湿性能を再び向上（再生）させることができる。
【００３７】
デシカントロータ２３は、その軸線が供給流路２１及び排出流路２２の方向と平行になるように配置される。デシカントロータ２３は、隔壁２２ａを跨ぐように配置される。これによって、デシカントロータ２３の略半分（図１においては、下半分）が供給流路２１内に配置されると共に、残りの略半分（図１においては、上半分）が排出流路２２内に配置される。デシカントロータ２３は、図示せぬ駆動機構によって、その軸線を中心として回転することができる。
【００３８】
供給側加温器２４は、供給流路２１を流通する空気の温度を上昇させるものである。供給側加温器２４は、供給流路２１内において、デシカントロータ２３よりも上流側に配置される。供給側加温器２４は、供給流路２１を流通する空気と熱交換を行うことができる。供給側加温器２４には、供給側循環管路２４ａが接続される。
【００３９】
供給側循環管路２４ａは、太陽熱蓄熱タンク１２と供給側加温器２４との間で熱媒体を循環させるためのものである。供給側循環管路２４ａは、太陽熱蓄熱タンク１２と供給側加温器２４とを接続する２本の配管を具備する。また供給側循環管路２４ａの中途部には、ポンプ２４ｂが設けられる。
【００４０】
ポンプ２４ｂは、供給側循環管路２４ａを介して熱媒体を圧送するためのものである。ポンプ２４ｂを駆動させることにより、太陽熱蓄熱タンク１２内の熱媒体を供給側加温器２４へと圧送すると共に、供給側加温器２４内の熱媒体を太陽熱蓄熱タンク１２へと圧送することができる。
【００４１】
排出側加温器２５は、排出流路２２を流通する空気の温度を上昇させるものである。排出側加温器２５は、排出流路２２内において、デシカントロータ２３よりも上流側に配置される。排出側加温器２５は、排出流路２２を流通する空気と熱交換を行うことができる。排出側加温器２５には、排出側循環管路２５ａが接続される。
【００４２】
排出側循環管路２５ａは、太陽熱蓄熱タンク１２と排出側加温器２５との間で熱媒体を循環させるためのものである。排出側循環管路２５ａは、太陽熱蓄熱タンク１２と排出側加温器２５とを接続する２本の配管を具備する。また排出側循環管路２５ａの中途部には、ポンプ２５ｂが設けられる。
【００４３】
ポンプ２５ｂは、排出側循環管路２５ａを介して熱媒体を圧送するためのものである。ポンプ２５ｂを駆動させることにより、太陽熱蓄熱タンク１２内の熱媒体を排出側加温器２５へと圧送すると共に、排出側加温器２５内の熱媒体を太陽熱蓄熱タンク１２へと圧送することができる。
【００４４】
供給側送風機２６は、供給流路２１に沿って空気を圧送するものである。供給側送風機２６は、供給流路２１内に配置される。供給側送風機２６を駆動させることにより、屋外の空気を、デシカントロータ２３及び供給側加温器２４を介して屋内へと流通させることができる。
【００４５】
以下では、屋外から供給流路２１へと案内される空気を「外気ＯＡ」、供給流路２１から屋内へと案内される空気を「給気ＳＡ」とそれぞれ称する。
【００４６】
排出側送風機２７は、排出流路２２に沿って空気を圧送するものである。排出側送風機２７は、排出流路２２内に配置される。排出側送風機２７を駆動させることにより、屋内の空気を、排出側加温器２５及びデシカントロータ２３を介して屋外へと流通させることができる。
【００４７】
以下では、屋内から排出流路２２へと案内される空気を「還気ＲＡ」、排出流路２２から屋外へと案内される空気を「排気ＥＡ」とそれぞれ称する。
【００４８】
このように、調湿装置２０は、円板状の吸着材（デシカントロータ２３）を回転させながら吸着及び脱着を行う、いわゆるローター式の調湿装置２０である。
【００４９】
図２に示す制御装置３０は、調湿システム１の動作を制御するものである。制御装置３０は、主としてＣＰＵ等の演算処理装置、ＲＡＭやＲＯＭ等の記憶装置、Ｉ／Ｏ等の入出力装置、並びにモニター等の表示装置等により構成される。制御装置３０には、調湿システム１の動作を制御するための種々の情報やプログラム等が予め記憶される。制御装置３０は、電力センサ３１、湿度センサ３２、日射センサ３３及びタンク温度センサ３４に接続される。
【００５０】
電力センサ３１は、前記住宅で使用されている電力量を検出するものである。制御装置３０は電力センサ３１に接続され、当該電力センサ３１により検出される電力量に関する信号を受信することができる。
【００５１】
湿度センサ３２は、屋内（前記住宅内）の湿度を検出するものである。制御装置３０は湿度センサ３２に接続され、当該湿度センサ３２により検出される湿度に関する信号を受信することができる。
【００５２】
日射センサ３３は、集熱パネル１１に照射される日射量を検出するものである。制御装置３０は日射センサ３３に接続され、当該日射センサ３３により検出される日射量に関する信号を受信することができる。
【００５３】
タンク温度センサ３４は、太陽熱蓄熱タンク１２内に貯溜された熱媒体の温度を検出するものである。制御装置３０はタンク温度センサ３４に接続され、当該タンク温度センサ３４により検出される温度に関する信号を受信することができる。
【００５４】
また、制御装置３０はポンプ１３ａ、ポンプ２４ｂ及びポンプ２５ｂに接続され、当該ポンプ１３ａ、ポンプ２４ｂ及びポンプ２５ｂの運転（熱媒体の圧送量等）を制御することができる。
【００５５】
また、制御装置３０は供給側送風機２６及び排出側送風機２７に接続され、当該供給側送風機２６及び排出側送風機２７の運転（送風量等）を制御することができる。
【００５６】
以下では、図３から図５までを用いて、上述の如く構成された調湿システム１の基本的な動作について説明する。
【００５７】
まず、図３を用いて、屋内の空気の湿度を下げる場合について説明する。
【００５８】
屋内の空気の湿度が高い場合（夏期等）には、調湿システム１を用いて当該屋内の空気の湿度を下げることができる。具体的には、制御装置３０は、ポンプ１３ａ、ポンプ２５ｂ、供給側送風機２６及び排出側送風機２７を駆動させる。
【００５９】
ポンプ１３ａが駆動されると、集熱パネル１１と太陽熱蓄熱タンク１２との間を熱媒体が循環する。当該熱媒体によって、集熱パネル１１で集熱された熱（太陽熱）が太陽熱蓄熱タンク１２へと伝達される。また、太陽熱蓄熱タンク１２に温められた熱媒体が蓄えられることで、当該太陽熱蓄熱タンク１２に熱が蓄えられる。
【００６０】
供給側送風機２６が駆動されると、外気ＯＡが供給流路２１へと案内される。当該外気ＯＡ中の水分は、デシカントロータ２３を通過する際に当該デシカントロータ２３に吸着される。これによって、外気ＯＡが除湿される。除湿された外気ＯＡは、給気ＳＡとして屋内へと供給される。これによって、屋内の湿度を下げることができる。
【００６１】
また、排出側送風機２７が駆動されると、屋内の湿った空気である還気ＲＡが排出流路２２へと案内される。当該還気ＲＡは、排出側加温器２５を流通する。ここで、排出側加温器２５には、ポンプ２５ｂによって太陽熱蓄熱タンク１２に貯溜された温かい熱媒体が供給されている。従って、排出側加温器２５を流通する還気ＲＡは、熱媒体の熱によって温められる。
【００６２】
排出側加温器２５によって温められた還気ＲＡは、デシカントロータ２３を通過する。この際、デシカントロータ２３は還気ＲＡによって加熱され、吸着された水分が脱着（再生）される。デシカントロータ２３を加熱し、脱着された水分を含んで湿った還気ＲＡは、排気ＥＡとして屋外へと排出される。
【００６３】
このように制御装置３０は、ポンプ１３ａ、ポンプ２５ｂ、供給側送風機２６及び排出側送風機２７を駆動させることで、屋内の空気の湿度を下げる（除湿する）ことができる。また制御装置３０は、供給側送風機２６及び排出側送風機２７の送風量を適宜調整することで、屋内の空気の湿度（湿度センサ３２によって検出される湿度）が任意の湿度になるように調整することができる。
【００６４】
次に、図４を用いて、屋内の空気の湿度を上げる場合について説明する。
【００６５】
屋内の空気の湿度が低い場合（冬期等）には、調湿システム１を用いて当該屋内の空気の湿度を上げることができる。具体的には、制御装置３０は、ポンプ１３ａ、ポンプ２４ｂ、供給側送風機２６及び排出側送風機２７を駆動させる。
【００６６】
供給側送風機２６が駆動されると、屋外の乾燥した空気である外気ＯＡが供給流路２１へと案内される。当該外気ＯＡは、供給側加温器２４を流通する。ここで、供給側加温器２４には、ポンプ２４ｂによって太陽熱蓄熱タンク１２に貯溜された温かい熱媒体が供給されている。従って、供給側加温器２４を流通する外気ＯＡは、熱媒体の熱によって温められる。
【００６７】
供給側加温器２４によって温められた外気ＯＡは、デシカントロータ２３を通過する。この際、デシカントロータ２３は外気ＯＡによって加熱され、吸着された水分が脱着（再生）される。デシカントロータ２３を加熱し、脱着された水分を含んで湿った外気ＯＡは、給気ＳＡとして屋内へと供給される。これによって、屋内の湿度を上げることができる。
【００６８】
また、排出側送風機２７が駆動されると、還気ＲＡが排出流路２２へと案内される。当該還気ＲＡ中の水分は、デシカントロータ２３を通過する際に当該デシカントロータ２３に吸着される。これによって、還気ＲＡが除湿される。除湿された還気ＲＡは、排気ＥＡとして屋外へと排出される。
【００６９】
このように制御装置３０は、ポンプ１３ａ、ポンプ２４ｂ、供給側送風機２６及び排出側送風機２７を駆動させることで、屋内の空気の湿度を上げる（加湿する）ことができる。また制御装置３０は、供給側送風機２６及び排出側送風機２７の送風量を適宜調整することで、屋内の空気の湿度が任意の湿度になるように調整することができる。
【００７０】
なお、上述のように除湿を行うか加湿を行うかは、制御装置３０の入出力装置を用いて、前記住宅の居住者が任意に選択することができる。
【００７１】
次に、図５を用いて、屋内の空気の湿度の調整を行うことなく、デシカントロータ２３の再生だけを行う場合について説明する。
【００７２】
デシカントロータ２３の再生だけを行う場合、制御装置３０は、ポンプ１３ａ、ポンプ２５ｂ及び排出側送風機２７を駆動させる。
【００７３】
排出側送風機２７が駆動されると、還気ＲＡが排出流路２２へと案内される。当該還気ＲＡは、排出側加温器２５を流通する。排出側加温器２５を流通する還気ＲＡは、熱媒体の熱によって温められる。
【００７４】
排出側加温器２５によって温められた還気ＲＡは、デシカントロータ２３を通過する。この際、デシカントロータ２３は還気ＲＡによって加熱され、吸着された水分が脱着（再生）される。デシカントロータ２３を加熱し、脱着された水分を含んで湿った還気ＲＡは、排気ＥＡとして屋外へと排出される。
【００７５】
このように制御装置３０は、ポンプ１３ａ、ポンプ２５ｂ及び排出側送風機２７を駆動させることで、屋内の空気の湿度の調整を行うことなく、デシカントロータ２３の再生だけを行うことができる。以下では、上述の如く、制御装置３０が屋内の空気の湿度の調整を行うことなく、デシカントロータ２３の再生だけを行う運転を、単に「単独再生運転」と称する。
【００７６】
以下では、制御装置３０による制御についてより詳細に説明する。
【００７７】
制御装置３０による制御は大きく２つの制御に分類される。具体的には、制御装置３０による制御は、運転モード選択制御（図６参照）及び実行制御（図７参照）に分類される。
【００７８】
まず、図６を用いて、制御装置３０による運転モード選択制御について説明する。運転モード選択制御は、屋内の空気を調湿する際の目標となる湿度範囲（以下、単に「目標湿度範囲」と称する）を選択するための制御である。
【００７９】
ステップＳ１０１において、制御装置３０は、現在時刻が後述する予測タンク熱量ＱＴ（ｔ）を算出（予測）する時刻（以下では、当該時刻を「予測処理実行時刻」と称する）であるか否かを判定する。
例えば、本実施形態においては、予測処理実行時刻は午前０時、午前１時、午前２時・・・のように、午前０時から１時間毎の時刻であるものとする。
制御装置３０は、現在時刻が予測処理実行時刻であると判定した場合、ステップＳ１０２に移行する。
制御装置３０は、現在時刻が予測処理実行時刻ではないと判定した場合、ステップＳ２０１（図７参照）に移行する。
【００８０】
なお、制御装置３０は、後述するステップＳ１０２からステップＳ１０４までの処理を、ステップ数ｔが２４になるまで繰り返す。
ここで、ステップ数ｔとは、制御装置３０による運転モード選択制御において使用される変数である。ステップ数ｔの値は、現在時刻を基準とした時刻を示している。例えば、ステップ数ｔ＝１は現在時刻から１時間後の時刻を意味する。同様に、ステップ数ｔ＝２は現在時刻から２時間後の時刻、ステップ数ｔ＝３は現在時刻から３時間後の時刻・・・をそれぞれ意味する。制御装置３０は、ステップＳ１０１からステップＳ１０２に移行する際に、ステップ数ｔに、初期値として「１」という値を代入する。
【００８１】
ステップＳ１０２において、制御装置３０は、ステップ数ｔに対応する時刻において、太陽熱蓄熱タンク１２に蓄えられていると予測される熱量（以下、「予測タンク熱量ＱＴ（ｔ）」と称する）を算出する。
予測タンク熱量ＱＴ（ｔ）は、「予測タンク熱量ＱＴ（ｔ）＝予測タンク熱量ＱＴ（ｔ−１）＋予測集熱量Ｑｇ（ｔ）−予測給湯熱量Ｑｄ（ｔ）−予測調湿熱量Ｑｈ（ｔ）」の数式を用いて算出することができる。
【００８２】
ここで、「予測集熱量Ｑｇ（ｔ）」は、ステップ数ｔ−１に対応する時刻からステップ数ｔに対応する時刻までの１時間の間に、集熱パネル１１において集熱されていると予測される熱量である。
また、「予測給湯熱量Ｑｄ（ｔ）」は、ステップ数ｔ−１に対応する時刻からステップ数ｔに対応する時刻までの１時間の間に、太陽熱蓄熱タンク１２から前記給湯需要へと供給されていると予測される熱量である。
また、「予測調湿熱量Ｑｈ（ｔ）」は、ステップ数ｔ−１に対応する時刻からステップ数ｔに対応する時刻までの１時間の間に、太陽熱蓄熱タンク１２から供給側加温器２４及び排出側加温器２５へと供給されていると予測される熱量である。
【００８３】
制御装置３０は、予め記憶されている気象条件（天気予報等）から、予測集熱量Ｑｇ（ｔ）を予測することができる。
また、制御装置３０は、前記住宅の居住者の生活パターンを予め学習しておくことで、予測給湯熱量Ｑｄ（ｔ）及び予測調湿熱量Ｑｈ（ｔ）を予測することができる。
【００８４】
制御装置３０は、ステップＳ１０２の処理を行った後、ステップＳ１０３に移行する。
【００８５】
ステップＳ１０３において、制御装置３０は、予測タンク熱量ＱＴ（ｔ）が最大タンク熱量ＱＭ未満であるか否かを判定する。
ここで、「最大タンク熱量ＱＭ」は、太陽熱蓄熱タンク１２に蓄えることができる熱量の上限値である。
制御装置３０は、予測タンク熱量ＱＴ（ｔ）が最大タンク熱量ＱＭ未満であると判定した場合、ステップＳ１０４に移行する。
制御装置３０は、予測タンク熱量ＱＴ（ｔ）が最大タンク熱量ＱＭ以上であると判定した場合、ステップＳ１０５に移行する。
【００８６】
ステップＳ１０４において、制御装置３０は、予測タンク熱量ＱＴ（ｔ）が最小タンク熱量ＱＬより大きいか否かを判定する。
ここで、「最小タンク熱量ＱＬ」は、太陽熱蓄熱タンク１２に蓄えることができる熱量の下限値である。
制御装置３０は、予測タンク熱量ＱＴ（ｔ）が最小タンク熱量ＱＬより大きいと判定した場合、ステップＳ１０７に移行する。
制御装置３０は、予測タンク熱量ＱＴ（ｔ）が最小タンク熱量ＱＬ以下であると判定した場合、ステップＳ１０６に移行する。
【００８７】
ステップＳ１０３から移行したステップＳ１０５において、制御装置３０は、運転モードとして「強」を選択する。
制御装置３０は、運転モードとして「強」を選択した場合、屋内を除湿する際の目標湿度範囲を４０〜５０（％）、屋内を加湿する際の目標湿度範囲を６０〜７０（％）とする。
制御装置３０は、ステップＳ１０５の処理を行った後、ステップＳ２０１（図７参照）に移行する。
【００８８】
ステップＳ１０４から移行したステップＳ１０６において、制御装置３０は、運転モードとして「弱」を選択する。
制御装置３０は、運転モードとして「弱」を選択した場合、屋内を除湿及び加湿する際の目標湿度範囲を４０〜７０（％）とする。
制御装置３０は、ステップＳ１０６の処理を行った後、ステップＳ２０１（図７参照）に移行する。
【００８９】
ステップＳ１０４から移行したステップＳ１０７において、制御装置３０は、運転モードとして「中」を選択する。
制御装置３０は、運転モードとして「中」を選択した場合、屋内を除湿する際の目標湿度範囲を４０〜６０（％）、屋内を加湿する際の目標湿度範囲を５０〜７０（％）とする。
制御装置３０は、ステップＳ１０７の処理を行った後、ステップＳ２０１（図７参照）に移行する。
【００９０】
上述の如く制御装置３０は、予測処理実行時刻において（ステップＳ１０１）、現在時刻から２４時間後まで、１時間毎の予測タンク熱量ＱＴ（ｔ）を算出する（ステップＳ１０２）。
【００９１】
現在時刻から２４時間後までの１時間毎の予測タンク熱量ＱＴ（ｔ）が、いずれも最大タンク熱量ＱＭ未満であり、かつ最小タンク熱量ＱＬより大きい場合（ステップＳ１０３及びステップＳ１０４）、制御装置３０は運転モードとして「中」を選択する（ステップＳ１０７）。
【００９２】
また、現在時刻から２４時間後までの１時間毎の予測タンク熱量ＱＴ（ｔ）のうち、いずれかの時刻の予測タンク熱量ＱＴ（ｔ）が最大タンク熱量ＱＭ以上になる場合（ステップＳ１０３）、制御装置３０は運転モードとして「強」を選択する（ステップＳ１０５）。
【００９３】
また、現在時刻から２４時間後までの１時間毎の予測タンク熱量ＱＴ（ｔ）のうち、いずれかの時刻の予測タンク熱量ＱＴ（ｔ）が最小タンク熱量ＱＬ以下になる場合（ステップＳ１０４）、制御装置３０は運転モードとして「弱」を選択する（ステップＳ１０６）。
【００９４】
ここで、各運転モードにおける目標湿度範囲について説明する。
【００９５】
「建築物における衛生的環境の確保に関する法律」においては、湿度（相対湿度）の管理基準値は４０〜７０（％）と、所定の幅を持つように定められている。よって本実施形態においては、当該管理基準値を満たす範囲以内で、各運転モード毎に目標湿度範囲を設定することによって、熱の有効活用を図っている。
【００９６】
具体的には、運転モードとして「弱」が選択された場合には、目標湿度範囲は４０〜７０（％）、すなわち前記管理基準値と同じ範囲に設定される。これによって、目標湿度範囲は、最大限に広い範囲となるように設定される。このため、屋内を除湿する場合であっても加湿する場合であっても、調湿装置２０を比較的短時間運転させるだけで屋内の湿度を目標湿度範囲以内に調整することができる。すなわち、太陽熱蓄熱タンク１２に蓄えられた熱をあまり使用する必要がなくなる。
従って、予測タンク熱量ＱＴ（ｔ）が最小タンク熱量ＱＬ以下になる場合（ステップＳ１０４）には、運転モードとして「弱」を選択することで、太陽熱蓄熱タンク１２に蓄えられた熱がなくなるのを防止することができる。
【００９７】
また、運転モードとして「強」が選択された場合には、目標湿度範囲は除湿を行う場合には４０〜５０（％）、加湿を行う場合には６０〜７０（％）に設定される。すなわち、目標湿度範囲は、除湿を行う場合には前記管理基準値の下限値（４０（％））近傍、加湿を行う場合には前記管理基準値の上限値（７０（％））近傍に設定される。このため、屋内を除湿する場合であっても加湿する場合であっても、屋内の湿度を当該目標湿度範囲以内に調整するためには、調湿装置２０を比較的長時間運転させる必要がある。すなわち、太陽熱蓄熱タンク１２に蓄えられた熱を大量に使用する必要がある。
従って、予測タンク熱量ＱＴ（ｔ）が最大タンク熱量ＱＭ以上になる場合（ステップＳ１０３）には、運転モードとして「強」を選択することで、太陽熱蓄熱タンク１２に蓄えられた熱量が最大タンク熱量ＱＭになって集熱パネル１１で集熱を行うことができなくなる（熱余りが発生する）のを防止することができ、ひいては集熱効率の向上を図ることができる。また、太陽熱蓄熱タンク１２に蓄えられた熱を効果的に利用することができ、熱利用効率の向上も図ることができる。
【００９８】
また、運転モードとして「中」が選択された場合には、目標湿度範囲は除湿を行う場合には４０〜６０（％）、加湿を行う場合には５０〜７０（％）に設定される。すなわち、目標湿度範囲は、運転モードが「弱」の場合よりも狭く、かつ運転モードが「強」の場合よりも広くなるように設定される。このため、屋内を除湿する場合であっても加湿する場合であっても、太陽熱蓄熱タンク１２に蓄えられた熱を適度に使用することになる。すなわち、運転モードが「弱」の場合よりも多く、かつ運転モードが「強」の場合よりも少ない熱が使用される。
従って、予測タンク熱量ＱＴ（ｔ）が、最大タンク熱量ＱＭ未満であり、かつ最小タンク熱量ＱＬより大きい場合（ステップＳ１０３及びステップＳ１０４）には、運転モードとして「中」を選択することで、太陽熱蓄熱タンク１２に蓄えられた熱を適度に使用しながら、屋内の調湿を行うことができる。
【００９９】
このように、予測タンク熱量ＱＴ（ｔ）に基づいて調湿装置２０の運転を制御することで、太陽熱を無駄なく有効に活用することができ、調湿システム１全体の高効率化を図ることができる。
【０１００】
次に、図７を用いて、制御装置３０による実行制御について説明する。実行制御は、種々の条件に基づいて、実際に調湿装置２０等を運転させるための制御である。
【０１０１】
ステップＳ２０１において、制御装置３０は、前記住宅の居住者が起床しており、かつ在宅している（前記住宅内にいる）か否かを判定する。
制御装置３０は、電力センサ３１により検出される電力量に基づいて、前記居住者が起床しているか否か、及び在宅しているか否かを判定することができる。例えば、前記住宅で使用されている電力量の時間変化から、前記居住者が起床しているか否か、及び在宅しているか否かを判定することができる。
制御装置３０は、前記住宅の居住者が起床しており、かつ在宅していると判定した場合、ステップＳ２０２に移行する。
制御装置３０は、前記住宅の居住者が起床していない、又は在宅していないと判定した場合、ステップＳ２０４に移行する。
【０１０２】
ステップＳ２０２において、制御装置３０は、前記住宅内の湿度が、現在選択されている運転モードの目標湿度範囲外であるか否かを判定する。
制御装置３０は、前記住宅内の湿度が、現在選択されている運転モードの目標湿度範囲外であると判定した場合、ステップＳ２０３に移行する。
制御装置３０は、前記住宅内の湿度が、現在選択されている運転モードの目標湿度範囲以内であると判定した場合、再度ステップＳ１０１（図６参照）に移行する。
【０１０３】
ステップＳ２０３において、制御装置３０は、調湿装置２０を用いて、前記住宅内の空気の調湿（調湿運転）を行う。具体的には、除湿又は加湿のうち、前記住宅の居住者によって選択された方法で前記住宅内の空気の調湿を行う。この際の目標湿度範囲は、運転モード選択制御（図６参照）において選択された運転モードに基づいて設定される。
制御装置３０は、ステップＳ２０３の処理を行った後、再度ステップＳ１０１（図６参照）に移行する。
【０１０４】
ステップＳ２０１から移行したステップＳ２０４において、制御装置３０は、現在の運転モードが「強」であるか否かを判定する。
制御装置３０は、現在の運転モードが「強」であると判定した場合、ステップＳ２０５に移行する。
制御装置３０は、現在の運転モードが「強」ではないと判定した場合、ステップＳ２０８に移行する。
【０１０５】
ステップＳ２０５において、制御装置３０は、現在時刻から日の出の時刻までの時間が２時間以内であるか否かを判定する。
ここで、日の出の時刻（予想時刻）は、予め制御装置３０に記憶されている。
制御装置３０は、現在時刻から日の出の時刻までの時間が２時間以内であると判定した場合、ステップＳ２０６に移行する。
制御装置３０は、現在時刻から日の出の時刻までの時間が２時間より大きいと判定した場合、再度ステップＳ１０１（図６参照）に移行する。
【０１０６】
ステップＳ２０６において、制御装置３０は、前記住宅内の湿度が、現在選択されている運転モードの目標湿度範囲以内であるか否かを判定する。
制御装置３０は、前記住宅内の湿度が、現在選択されている運転モードの目標湿度範囲以内であると判定した場合、ステップＳ２１１に移行する。
制御装置３０は、前記住宅内の湿度が、現在選択されている運転モードの目標湿度範囲外であると判定した場合、ステップＳ２０７に移行する。
【０１０７】
ステップＳ２０７において、制御装置３０は、前記住宅の居住者が在宅しているか否かを判定する。
制御装置３０は、前記住宅の居住者が在宅していると判定した場合、ステップＳ２０３に移行する。
制御装置３０は、前記住宅の居住者が在宅していないと判定した場合、ステップＳ２１１に移行する。
【０１０８】
ステップＳ２０４から移行したステップＳ２０８において、制御装置３０は、集熱パネル１１に照射される日射量が０より大きいか否か（すなわち、太陽光が集熱パネル１１に照射されているか否か）を判定する。
制御装置３０は、集熱パネル１１に照射される日射量が０より大きいと判定した場合、ステップＳ２０９に移行する。
制御装置３０は、集熱パネル１１に照射される日射量が０であると判定した場合、再度ステップＳ１０１（図６参照）に移行する。
【０１０９】
ステップＳ２０９において、制御装置３０は、現在太陽熱蓄熱タンク１２に蓄えられている熱量（以下、単に「実タンク熱量ＱＲ」と称する）が最大タンク熱量ＱＭ以上であるか否かを判定する。
制御装置３０は、タンク温度センサ３４によって検出される太陽熱蓄熱タンク１２内の温度から、実タンク熱量ＱＲを算出することができる。
制御装置３０は、実タンク熱量ＱＲが最大タンク熱量ＱＭ以上であると判定した場合、ステップＳ２１０に移行する。
制御装置３０は、実タンク熱量ＱＲが最大タンク熱量ＱＭ未満であると判定した場合、再度ステップＳ１０１（図６参照）に移行する。
【０１１０】
ステップＳ２１０において、制御装置３０は、前記住宅内の湿度が、現在選択されている運転モードの目標湿度範囲以内であるか否かを判定する。
制御装置３０は、前記住宅内の湿度が、現在選択されている運転モードの目標湿度範囲以内であると判定した場合、ステップＳ２１１に移行する。
制御装置３０は、前記住宅内の湿度が、現在選択されている運転モードの目標湿度範囲外であると判定した場合、ステップＳ２０７に移行する。
【０１１１】
ステップＳ２１１において、制御装置３０は、現在が冬期（例えば、１２月から２月まで）以外であるか否かを判定する。
ここで、冬期とは、調湿システム１を用いて主に前記住宅内の空気の加湿が行われる時期を意味する。すなわち、本実施形態に係る冬期は、前記住宅の居住者の生活パターンによって変動するものである。よって、前記住宅の居住者は、１年間のうち任意の時期を冬期として制御装置３０に設定することができる。
制御装置３０は、現在が冬期以外であると判定した場合、ステップＳ２１２に移行する。
制御装置３０は、現在が冬期であると判定した場合、再度ステップＳ１０１（図６参照）に移行する。
【０１１２】
ステップＳ２１２において、制御装置３０は、単独再生運転を行う。
制御装置３０は、ステップＳ２１２の処理を行った後、再度ステップＳ１０１（図６参照）に移行する。
【０１１３】
上述の如く制御装置３０は、前記住宅の居住者が起床かつ在宅しており（ステップＳ２０１）、前記住宅内の湿度が目標湿度範囲外である場合（ステップＳ２０２）、選択されている運転モードに従って調湿を行う（ステップＳ２０３）。
【０１１４】
一方、制御装置３０は、前記住宅の居住者が起床又は在宅しておらず（ステップＳ２０１）、選択されている運転モードが「強」である場合（ステップＳ２０４）、熱余りが発生することが予測されるため、太陽熱蓄熱タンク１２に蓄えられた熱の有効活用を検討する。
【０１１５】
具体的には、制御装置３０は、日の出までの時間が２時間以内であり（ステップＳ２０５）、前記住宅内の湿度が目標湿度範囲外であり（ステップＳ２０６）、かつ前記住宅の居住者が在宅している（すなわち、就寝している）場合（ステップＳ２０７）、選択されている運転モードに従って調湿を行う（ステップＳ２０３）。このように、前記住宅の居住者が起床していない（就寝している）場合であっても調湿を行うことで、熱余りの発生を防止することができる。また、前記住宅の居住者の起床時に、快適な環境（調湿された前記住宅内の湿度）を提供することができる。
【０１１６】
また、制御装置３０は、日の出までの時間が２時間以内であっても（ステップＳ２０５）、前記住宅内の湿度が目標湿度範囲以内であり（ステップＳ２０６）、かつ現在が冬期以外である場合（ステップＳ２１１）、単独再生運転を行う（ステップＳ２１２）。これによって、太陽熱蓄熱タンク１２に蓄えられた熱を有効活用しながら、熱余りの発生を防止することができる。
なお、冬期に単独再生運転（図３参照）を行うと、前記住宅内の空気を加湿するための水分がデシカントロータ２３から脱着され、加湿性能が低下してしまう。このため、冬期に単独再生運転が行われることはない。
【０１１７】
また、制御装置３０は、日射量が０より大きく（ステップＳ２０８）、かつ実タンク熱量ＱＲが最大タンク熱量ＱＭ以上である場合（ステップＳ２０９）、熱余りが発生しており、これ以上太陽光が照射されても熱を蓄えることができないため、太陽熱蓄熱タンク１２に蓄えられた熱の有効活用を検討する。
【０１１８】
具体的には、制御装置３０は、前記住宅内の湿度が目標湿度範囲外であり（ステップＳ２０６）、かつ前記住宅の居住者が在宅している（すなわち、就寝している）場合（ステップＳ２０７）、選択されている運転モードに従って調湿を行う（ステップＳ２０３）。
【０１１９】
また、制御装置３０は、前記住宅内の湿度が目標湿度範囲以内であり（ステップＳ２１０）、かつ現在が冬期以外である場合（ステップＳ２１１）、単独再生運転を行う（ステップＳ２１２）。
【０１２０】
以上の如く、本実施形態に係る調湿システム１は、
太陽光を受けて集められた熱を蓄える太陽熱温水装置１０（太陽熱蓄熱装置）と、
太陽熱温水装置１０から供給される熱、及び水分を吸脱着可能なデシカントロータ２３（吸着材）を用いて、前記住宅（建物）の内部へと供給される空気の湿度の調整を行う調湿装置２０と、
調湿装置２０に、前記住宅の内部の湿度が目標湿度範囲（目標範囲）以内の値になるように調整する調湿運転（図７のステップＳ２０３）を行わせる制御装置３０と、
を具備する調湿システム１であって、
制御装置３０は、
予測タンク熱量ＱＴ（ｔ）（太陽熱温水装置１０に蓄えられる熱量）を予測し、予測タンク熱量ＱＴ（ｔ）に基づいて調湿装置２０の運転を制御するものである。
このように構成することにより、集熱効率及び熱利用効率の向上を図ることができる。
【０１２１】
また、制御装置３０は、
予測タンク熱量ＱＴ（ｔ）が最大タンク熱量ＱＭ（事前運転基準値）以上になると予測され（図６のステップＳ１０３）、かつ現在時刻から太陽熱温水装置１０が太陽光を受けることが可能になると予測される時刻（日の出）までの時間が２時間（基準時間）以下になった場合（図７のステップＳ２０５）、調湿装置２０に前記調湿運転を行わせるものである。
このように構成することにより、集熱効率及び熱利用効率の向上を図ることができる。
すなわち、太陽熱温水装置１０（太陽熱蓄熱タンク１２）に蓄えられた熱量が過剰に増加し、集熱効率が低下するのを防止することができる。また、当該太陽熱温水装置１０に蓄えられた熱を有効利用し、熱利用効率の向上を図ることができる。
【０１２２】
また、制御装置３０は、
予測タンク熱量ＱＴ（ｔ）が最大タンク熱量ＱＭ（熱量増加基準値）以上になると予測された場合（図６のステップＳ１０３）、予測タンク熱量ＱＴ（ｔ）が最大タンク熱量ＱＭ未満になると予測された場合に比べて前記調湿運転において使用される熱が多くなるように調湿装置２０の運転を制御する（図６のステップＳ１０５）ものである。
このように構成することにより、集熱効率及び熱利用効率の向上を図ることができる。
すなわち、太陽熱温水装置１０に蓄えられた熱量が過剰に増加し、集熱効率が低下するのを防止することができる。また、当該太陽熱温水装置１０に蓄えられた熱を有効利用し、熱利用効率の向上を図ることができる。
【０１２３】
また、制御装置３０は、
予測タンク熱量ＱＴ（ｔ）が最小タンク熱量ＱＬ（熱量減少基準値）以下になると予測された場合（図６のステップＳ１０４）、予測タンク熱量ＱＴ（ｔ）が最小タンク熱量ＱＬより大きくなると予測された場合に比べて前記調湿運転において使用される熱が少なくなるように調湿装置２０の運転を制御する（図６のステップＳ１０６）ものである。
このように構成することにより、太陽熱温水装置１０に蓄えられる熱量が過剰に減少するのを防止することができる。
【０１２４】
また、制御装置３０は、
前記住宅の内部に人がいる場合にのみ（図７のステップＳ２０７）、調湿装置２０に前記調湿運転を行わせるものである。
このように構成することにより、適切な場合に湿度の調整を行うことができる。
すなわち、前記住宅の内部に人がいない場合に調湿運転を行い、無駄に熱を消費するのを防止することができる。
【０１２５】
また、制御装置３０は、
予測タンク熱量ＱＴ（ｔ）が最大タンク熱量ＱＭ（予測再生基準値）以上になると予測され（図６のステップＳ１０３）、かつ前記住宅の内部の湿度が前記目標湿度範囲以内の値である場合（図７のステップＳ２０６）、太陽熱温水装置１０から供給される熱を用いて調湿装置２０に単独再生運転（デシカントロータ２３の再生）を行わせる（図７のステップＳ２１２）ものである。
このように構成することにより、集熱効率及び熱利用効率の向上を図ることができる。
すなわち、太陽熱温水装置１０に蓄えられた熱量が過剰に増加し、集熱効率が低下するのを防止することができる。また、当該太陽熱温水装置１０に蓄えられた熱を有効利用し、熱利用効率の向上を図ることができる。
【０１２６】
また、制御装置３０は、
実タンク熱量ＱＲ（太陽熱温水装置１０に蓄えられている熱量）が最大タンク熱量ＱＭ（実再生基準値）以上であり（図７のステップＳ２０９）、かつ前記住宅の内部の湿度が前記目標湿度範囲以内の値である場合（図７のステップＳ２１０）、太陽熱温水装置１０から供給される熱を用いて調湿装置２０に単独再生運転を行わせる（図７のステップＳ２１２）ものである。
このように構成することにより、集熱効率及び熱利用効率の向上を図ることができる。
すなわち、太陽熱温水装置１０に蓄えられた熱量が過剰に増加している場合、当該太陽熱温水装置１０に蓄えられた熱量を減少させ、集熱効率を向上させることができる。また、当該太陽熱温水装置１０に蓄えられた熱を有効利用し、熱利用効率の向上を図ることができる。
【０１２７】
なお、本実施形態に係る太陽熱温水装置１０は、本発明に係る太陽熱蓄熱装置の実施の一形態である。
また、本実施形態に係るデシカントロータ２３は、本発明に係る吸着材の実施の一形態である。
また、本実施形態に係る前記住宅は、本発明に係る建物の実施の一形態である。
また、本実施形態に係る目標湿度範囲は、本発明に係る目標範囲の実施の一形態である。
また、本実施形態に係る最大タンク熱量ＱＭ（図６のステップＳ１０３及び図７のステップＳ２０９参照）は、本発明に係る事前運転基準値、熱量増加基準値、予測再生基準値及び実再生基準値の実施の一形態である。
また、本実施形態に係る２時間（図７のステップＳ２０５参照）は、本発明に係る基準時間の実施の一形態である。
また、本実施形態に係るステップＳ１０４（図６参照）において予測タンク熱量ＱＴ（ｔ）と比較した最小タンク熱量ＱＬという値は、本発明に係る熱量減少基準値の実施の一形態である。
【０１２８】
なお、本発明に係る太陽熱蓄熱装置の構成は、本実施形態に係る太陽熱温水装置１０の構成に限るものではない。例えば、集熱パネル１１に太陽光発電装置（太陽電池）を組み合わせて、集熱と同時に発電を行う構成とすることも可能である。また、太陽熱温水装置１０で用いられる熱媒体は不凍液に限るものではなく、水やその他の流体（空気等）を用いることも可能である。
【０１２９】
また、本発明に係る調湿装置の構成は、本実施形態に係る調湿装置２０の構成に限るものではない。すなわち、調湿装置２０は吸着材を用いて空気の湿度の調整を行うものであれば良く、例えばローター式ではなくバッチ式の調湿装置であっても良い。
【０１３０】
また、本実施形態において例示した目標湿度範囲の数値は一例であり、任意の値に設定することが可能である。
【０１３１】
また、本実施形態においては、本発明に係る事前運転基準値、熱量増加基準値、予測再生基準値及び実再生基準値の実施の一形態として、最大タンク熱量ＱＭを例示したが、本発明はこれに限るものではない。すなわち、事前運転基準値、熱量増加基準値、予測再生基準値及び実再生基準値の値は任意に設定することが可能である。また、事前運転基準値、熱量増加基準値、予測再生基準値及び実再生基準値の値は互いに異なる値であっても良い。
【０１３２】
また、本実施形態においては、基準時間の一例として２時間（図７のステップＳ２０５参照）を例示したが、本発明はこれに限るものではない。すなわち、基準時間は任意に設定することが可能である。
【０１３３】
また、本実施形態においては、熱量減少基準値の一例として最小タンク熱量ＱＬ（図６のステップＳ１０４参照）という値を例示したが、本発明はこれに限るものではない。すなわち、熱量減少基準値は任意に設定することが可能である。
【０１３４】
また、本実施形態においては、予測集熱量Ｑｇ（ｔ）、予測給湯熱量Ｑｄ（ｔ）及び予測調湿熱量Ｑｈ（ｔ）は、天気予報等や予め学習された前記住宅の居住者の生活パターンから予測されるものとしたが、本発明はこれに限るものではない。すなわち、予測集熱量Ｑｇ（ｔ）、予測給湯熱量Ｑｄ（ｔ）及び予測調湿熱量Ｑｈ（ｔ）の予測方法は限定するものではなく、例えば多数の住宅で集められた統計データ等を用いて予測することも可能である。
【０１３５】
また、本実施形態においては、前記住宅の居住者が起床しているか否か、及び在宅しているか否かを、電力センサ３１を用いて検出するものとしたが、本発明はこれに限るものではない。すなわち、前記住宅の居住者の起床等を検出する方法は限定するものではなく、例えばその他のセンサ（人感センサ等）を用いて検出することも可能である。
【０１３６】
また、本実施形態においては、日の出の時刻まで２時間以内である場合（図７のステップＳ２０５参照）に調湿運転を行う（ステップＳ２０３）ものとしたが、本発明はこれに限るものではない。すなわち、日の出の時刻を基準とするのではなく、前記住宅の居住者の起床時間を基準としても良い。当該起床時間は、当該居住者が任意に設定したり、制御装置３０が当該居住者の生活パターンを学習することで設定したりすることが可能である。
【符号の説明】
【０１３７】
１    調湿システム
１０  太陽熱温水装置（太陽熱蓄熱装置）
１１  集熱パネル
１２  太陽熱蓄熱タンク
２０  調湿装置
２３  デシカントロータ
２４  供給側加温器
２５  排出側加温器
３０  制御装置
【図１】
0006378965.tif 000002
【図２】
0006378965.tif 000003
【図３】
0006378965.tif 000004
【図４】
0006378965.tif 000005
【図５】
0006378965.tif 000006
【図６】
0006378965.tif 000007
【図７】
0006378965.tif 000008